(57)【要約】【課題】毎日自宅で故人を荘重な気持ちで偲ぶことができ、かつ製造コストの安価な納骨用位牌を提供する。【解決手段】本発明による納骨用位牌は、内部にお骨を収納するための収納部４を有する基部２と、該基部２の上部に立設された位牌部１とからなり、該基部２の上面又は側面に収納部４に通じる扉３が設けられ、該扉３を開いてお骨の収納が行われることを特徴とし、基部２と位牌部１とを固定して一体型とすることもできる。収納部４に通じる扉３は、基部２の上面又は側面のいずれに設けてもよく前面に観音扉を設けるのが、美観的に好ましい。また、材質は石材がよい。お骨の収納部への収納は、骨壷に納めて行うのがよい。【選択図】    図１
2004187765.tif 000002
【特許請求の範囲】
【請求項１】
内部にお骨を収納するための収納部を有する基部と、該基部の上部に立設された位牌部とからなり、該基部の上面又は側面に収納部に通じる扉が設けられ、該扉を開いてお骨の収納が行われることを特徴とする納骨用位牌。
【請求項２】
お骨の収納部への収納が、骨壷に納めて行われる請求項１に記載の納骨用位牌。
【請求項３】
材質が石材である請求項１又は２に記載の納骨用位牌。
【請求項４】
基部と位牌部とが固定された一体型である請求項１乃至３のいずれかに記載の納骨用位牌。
【請求項５】
収納部に通じる扉が、基部の前面に設けられた観音扉である請求項１乃至４のいずれかに記載の納骨用位牌。
【発明の詳細な説明】
【０００１】
【発明の属する技術分野】
本発明は、荘重性を有し、移動が容易で、かつ簡単に納骨できる納骨用位牌に関する。
【０００２】
【従来の技術】
従来、故人の遺骨はお墓に納められ、お彼岸などには、お墓参りがなされる。日常は、仏壇に位牌を安置して拝むことにより、故人を偲んでいる。
しかしながら、お墓が遠い、健康上の都合、あるいは老齢で、お墓参りもままならないことがある。
また、経済的に墓地が高価で買えない。墓地はあっても墓石が買えない、ということがある。
【０００３】
このような事情から、毎日自宅の仏壇において、故人を偲ぶことができるように、特許文献１は、脚となる台座上に金属製の円筒からなる位牌を立設し、位牌の円筒内に遺骨を納めることを提案している。
また、特許文献２は、故人を偲ぶためでなく、個人が遺伝子を簡易かつ安全に保存することを目的として、遺伝子を含む試料をカプセル容器に納め、これを基台上に立設された位牌部の小さな隠し穴のなかに収納することを提案している。
【０００４】
しかしながら、特許文献１で提案されたものは、位牌部が金属製の円筒では、いかにも安直で、故人を侮辱しているようでもあり、荘重さがない。また、特許文献２で提案された、カプセル容器を納めるため位牌に設けられた隠し穴では、骨壷を収納することができない。
【０００５】
【特許文献１】
特開平１１−１０４１９４号公報
【特許文献２】
特開２００１−３２７３９２号公報
【０００６】
【発明が解決しようとする課題】
本発明は、上記問題点に鑑みなされた発明であり、毎日自宅で故人を荘重な気持ちで偲ぶことができ、移動や携帯に便利で、かつ製造コストの安価な納骨用位牌を提供することを目的としている。
【０００７】
【課題を解決するための手段】
本発明による納骨用位牌は、内部にお骨を収納するための収納部を有する基部と、該基部の上部に立設された位牌部とからなり、該基部の上面又は側面に収納部に通じる扉が設けられ、該扉を開いてお骨の収納が行われることを特徴としている。お骨の収納部への収納は、骨壷に納めて行うのがよい。なお、上記基部の側面は、前面を含む周囲４面を指している。
【０００８】
本発明の納骨用位牌は、基部と位牌部とを固定して一体型とすることもできる。収納部に通じる扉は、基部の上面又は側面のいずれに設けてもよいが、前面に観音扉を設けるのが、美観的によく好ましい。また、この材質は、荘重性が得られる点で、石材、特には御影石とするのが望ましい。
【０００９】
【発明の実施の形態】
本発明の納骨用位牌は、骨壷の収納部を有する基部と、その上に設けられた位牌部とからなっており、骨壷の収納は、基部の上面又は周面に設けられた扉を開けて、例えば、基部の前面に設けられた収納部に通じる観音開きの扉を左右に開いて行われる。
【００１０】
以下、本発明による納骨用位牌の例を図に基づいて、さらに詳細に説明する。図１は、本発明の納骨用位牌の一例を示した斜視図であり、御影石で製作され、位牌部１が基部２の上に立設されている。基部２には、観音扉３を左右に開くことで収納部４が現れ、収納部４に手前側から骨壷５を納めることができる。
【００１１】
なお、図２は、図１に示した納骨用位牌の観音扉を閉めた状態を、正面図で示している。
図３は、図２に示した納骨用位牌の上部構造を取り除いて、基部に設けられた納骨部を示す平面図である。
【００１２】
本発明の納骨用位牌の荘重性を増すために、表面を研磨して磨き上げるのが望ましく、デザイン的には、基部の四隅の柱を下方に向けて末広がりに張出させるのがよい。
【００１３】
納骨用位牌の材質は、荘重性の点から御影石が望ましいが、木製あるいは金属製としてもよい。木製や金属製とした場合は、漆塗りなどの塗装を行うことにより、荘重性を付与するとよい。
【００１４】
また、位牌部を基部に差し込み、接着固定あるいは嵌め合い式とすることで、位牌部と基部を一体化することができる。
納骨用位牌の大きさは、これを仏壇などに安置するときの収納スペースを考慮すると、高さ１０〜５０ｃｍの小型が望ましい。
【００１５】
基台の収納部への骨壷の収納は、基部の上面又は周面に設けられた扉を開けて行われるが、扉は、基部の前面に観音開きの扉を設けるのが好ましいが、背面又はいずれかの側面に、両開き、片開き、あるいは引き戸形式の扉を設けてもよい。また、基部の上面に設ける場合は、この上に配置する位牌の底部を収納部の蓋を兼ねるようにしてもよい。
【００１６】
さらに、収納部に納められた骨壷を固定手段で、例えば、収納部の底部と骨壷の底部を加工して嵌め込み、左右いずれかに回して嵌合するようにしたり、あるいは両者を粘着テープで固定することで、移動が容易になる。
【００１７】
以上、本発明の納骨用位牌は、墓地を取得して墓石や石碑を立てるには、経済的な理由から難しいという人にとって、故人の尊厳性を損なうことなく偲ぶことができる。
また、犬や猫などのペットを家族同様に飼っていた人には、安価で取得の容易な本発明の納骨用位牌に、ペットの遺骨を納めることで、いつまでも身近に偲ぶことができる。
【００１８】
【発明の効果】
本発明の納骨用位牌は、構造が簡単であり、小型で移動や携帯に便利であり、分骨用に優れ、小型仏壇として好適である。さらに、安価に製作することができ、経済的負担が少ない。
また、基部の前面に観音開きの扉を設け、材質を石材、特には御影石とすることで荘重さが得られ、毎日自宅で故人を偲ぶことができる。
【図面の簡単な説明】
【図１】本発明の納骨用位牌の一例を示す斜視図である。
【図２】図１の納骨用位牌において、観音扉を閉めた状態を示す正面図である。
【図３】図２の納骨用位牌において、上部構造を取り除いて納骨部を示す平面図である。
【符号の説明】
１………位牌部、
２………基部、
３………観音扉、
４………収納部、
５………骨壷。
【図１】
2004187765.tif 000003
【図２】
2004187765.tif 000004
【図３】
2004187765.tif 000005
【手続補正書】
【提出日】平成14年12月10日(2002.12.10)
【手続補正１】
【補正対象書類名】明細書
【補正対象項目名】特許請求の範囲
【補正方法】変更
【補正の内容】
【特許請求の範囲】
【請求項１】
内部にお骨を収納するための収納部を有する基部と、該基部の上部に立設された位牌部とからなり、該基部の上面又は側面に収納部に通じる扉が設けられ、該扉を開いてお骨の収納が行われることを特徴とする納骨用位牌。
【請求項２】
お骨の収納部への収納が、骨壷に納めて行われる請求項１に記載の納骨用位牌。
【請求項３】
材質が石材である請求項１又は２に記載の納骨用位牌。
【請求項４】
基部と位牌部とが固定された一体型である請求項１乃至３のいずれかに記載の納骨用位牌。
【請求項５】
収納部に通じる扉が、基部の前面に設けられた観音扉である請求項１乃至４のいずれかに記載の納骨用位牌。